(57)【要約】【課題】マルチ画面の映像表示システムにおいて、表示レイアウトが自由に設定できユーザの操作性の良い表示設定方法を提供すること。【解決手段】複数のディスプレイ１０を配列したマルチ画面表示装置１に映像信号を表示する映像表示システムにおいて、制御部２は、映像信号を設定された表示レイアウトに従い各ディスプレイ１０に表示するように制御する。制御モニタ３は、ユーザが所望の表示レイアウトを設定するための操作画面１００を提供する。操作画面１００には、表示する映像の表示位置と表示の大きさを指定するためのレイアウト設定手段１０３，１０４と、表示画面を模擬的に表示する模擬マルチ画面１０１を有し、模擬マルチ画面１０１には、レイアウト設定手段１０３，１０４にて指定された表示範囲指定枠１０５を表示する。【選択図】図２
2008027196.tif 000002
【特許請求の範囲】
【請求項１】
複数のディスプレイを配列したマルチ画面表示装置を用いて映像信号を表示する映像表示システムにおいて、
入力される映像信号を設定された表示レイアウトに従い上記マルチ画面表示装置を構成する各ディスプレイに表示するように制御する制御部と、
ユーザが所望の表示レイアウトを設定するために用いる操作画面を提供する制御モニタとを備え、
該制御モニタの提供する操作画面には、上記表示レイアウトとして表示する映像の表示位置と表示の大きさを指定するためのレイアウト設定手段を有することを特徴とする映像表示システム。
【請求項２】
請求項１に記載の映像表示システムであって、
前記レイアウト設定手段は、映像を等倍で表示するよう指定する等倍表示設定手段と、拡大して表示するよう指定する拡大表示設定手段とを別個に設けたことを特徴とする映像表示システム。
【請求項３】
請求項１に記載の映像表示システムであって、
前記レイアウト設定手段は、映像を等倍で表示するよう指定する等倍表示設定手段と、拡大して表示するよう指定する拡大表示設定手段とを統合して設けたことを特徴とする映像表示システム。
【請求項４】
請求項１ないし３のいずれか１項に記載の映像表示システムであって、
前記操作画面には、前記マルチ画面表示装置の表示画面を模擬的に表示する模擬マルチ画面を有し、
該模擬マルチ画面には、前記レイアウト設定手段にて指定された表示レイアウトを示す表示範囲指定枠を表示することを特徴とする映像表示システム。
【請求項５】
請求項１ないし３のいずれか１項に記載の映像表示システムであって、
入力する映像信号源として複数の映像再生装置を接続し、
該映像再生装置から再生される映像信号を選択、切り替え、分配を行ない前記マルチ画面表示装置へ伝送する映像選択切替部を備え、
前記制御モニタの提供する操作画面には、前記マルチ画面表示装置に表示する映像信号源をユーザが選択するための映像選択手段を有し、
前記制御部は、該映像選択手段により選択された条件に従い上記映像選択切替部を制御することを特徴とする映像表示システム。
【請求項６】
請求項２又は３に記載の映像表示システムであって、
前記等倍表示設定手段には、表示する映像の表示位置を移動させるための第１の移動指定手段を設け、
前記拡大表示設定手段には、表示する映像の表示位置を移動させるための第２の移動指定手段と、表示する映像の拡大及び縮小を指定する拡大縮小指定手段とを設けることを特徴とする映像表示システム。
【請求項７】
請求項６に記載の映像表示システムにおいて、
前記第１及び第２の移動指定手段は、表示画面上で少なくとも上下左右方向に移動させる４個のボタンもしくはボタンを模したユーザインタフェースで構成し、
前記拡大縮小指定手段は、表示画面上で対角線方向に拡大又は縮小させる４個のボタンもしくはボタンを模したユーザインタフェースで構成することを特徴とする映像表示システム。
【請求項８】
複数のディスプレイを配列したマルチ画面表示装置に映像信号を表示する映像表示システムの表示設定方法において、
ユーザに対し、上記マルチ画面表示装置に表示する際の映像の表示位置と表示の大きさを指定するための操作画面を提供し、
該操作画面を介してユーザからの指定を受け付け、ユーザの所望する表示レイアウトを設定し、
該設定した上記表示レイアウトに従い、上記映像信号を上記マルチ画面表示装置を構成する各ディスプレイに表示するように制御することを特徴とする映像表示システムの表示設定方法。
【請求項９】
請求項８に記載の映像表示システムの表示設定方法であって、
前記提供する操作画面には、前記マルチ画面表示装置の表示画面を模擬的に表示する模擬マルチ画面を有し、
該模擬マルチ画面には、ユーザにより指定された表示レイアウトを示す表示範囲指定枠を表示することを特徴とする映像表示システムの表示設定方法。
【請求項１０】
請求項８に記載の映像表示システムの表示設定方法において、
前記提供する操作画面には、前記表示画面上で少なくとも上下左右方向に移動させる４個のボタンを表示し、
前記表示画面上で対角線方向に拡大又は縮小させる４個のボタンを表示することを特徴とする映像表示システムの表示設定方法。
【発明の詳細な説明】
【技術分野】
【０００１】
本発明は、複数個のディスプレイを格子状に配列した映像表示システムに係り、映像表示における表示レイアウト（表示位置や大きさ）を好適に設定する表示設定方法に関する。
【背景技術】
【０００２】
映像表示装置としては種々の方式が存在するが、多人数が同じ表示画面の内容を確認しながら業務を行なう用途（例えば、インフラシステムなどの監視など）では、大画面を必要とするため、例えば背面投写型（リアプロジェクション方式）の表示装置が用いられる。さらにリアプロジェクション装置などを複数台使用してこれを格子状に配列したマルチ画面表示システムでは、通常は１台の表示装置に表示する映像をマルチ画面全体に拡大して表示することができるので、より大型の映像画面として提供することができる。
【０００３】
マルチ画面表示装置において、拡大映像を表示するための信号処理の技術として、以下の技術が開示されている。例えば特許文献１には、マルチ画面数或いは画面構成の変更時に、最小限のデータ入力のみで表示の設定を可能とすることを目的とし、マトリクス状に配列する各単位表示モニタを環状に直列接続する構成が記載される。特許文献２には、設置スペースが少なく、表示画面数の変更が容易かつ安価に行えることを目的とし、各表示モニタに、拡大位置を指定して表示制御情報が供給される拡大制御回路と、指定された位置を拡大して表示用の映像信号を形成する拡大処理回路とを内蔵する構成が記載される。また特許文献３には、複数の入力映像信号から任意の映像信号を選んで任意の位置に表示できることを目的とし、表示システムは、１つのマスタユニットとその他のスレーブユニットから成り、外部のシステム制御部でマスタユニットを制御し、マスタユニットはそれ自身及びスレーブユニットを制御する構成が記載される。
【０００４】
【特許文献１】特開２００３−４４０２８号公報
【特許文献２】特開平４−３２９５９３号公報
【特許文献３】特開平８−８８８２０号公報
【発明の開示】
【発明が解決しようとする課題】
【０００５】
上記特許文献１、２記載の技術によれば、マルチ画面全体に１つの映像を拡大表示する際、画面数変更への対応に有効である。また、特許文献３記載の技術によれば、複数の入力映像信号から選択した１つの映像を、任意の位置に拡大して表示する場合に有効である。
【０００６】
一方、ユーザがマルチ画面上に所望の映像を表示する際、映像の表示位置や拡大率といった表示レイアウトを自由に設定できることが望ましい。従来のマルチ映像表示装置では、表示レイアウトが装置毎に固定だったり（例えば全画面に拡大）、あるいは装置の備える複数のレイアウト（例えば拡大／等倍）からユーザが選択して設定するものであった。すなわち、ユーザが映像を見ながら、即座にレイアウトを変更することは考慮されておらず、また変更できるにしても選択の自由度がなく操作性も良くなかった。上記各特許文献には、ユーザの立場から見た表示レイアウトの設定及び操作性に関しては考慮されていない。
【０００７】
本発明の目的は、マルチ画面の映像表示システムにおいて、表示レイアウトが自由に設定できユーザの操作性の良い表示設定方法を提供することにある。
【課題を解決するための手段】
【０００８】
本発明は、複数のディスプレイを配列したマルチ画面表示装置を用いて映像信号を表示する映像表示システムであって、入力される映像信号を設定された表示レイアウトに従いマルチ画面表示装置を構成する各ディスプレイに表示するように制御する制御部と、ユーザが所望の表示レイアウトを設定するために用いる操作画面を提供する制御モニタとを備え、制御モニタの提供する操作画面には、表示レイアウトとして表示する映像の表示位置と表示の大きさを指定するためのレイアウト設定手段を有する。
【０００９】
前記レイアウト設定手段は、映像を等倍で表示するよう指定する等倍表示設定手段と、拡大して表示するよう指定する拡大表示設定手段とを別個に設ける。あるいは、前記等倍表示設定手段と、前記拡大表示設定手段とを統合して設ける。
【００１０】
また前記操作画面には、マルチ画面表示装置の表示画面を模擬的に表示する模擬マルチ画面を有し、模擬マルチ画面には、レイアウト設定手段にて指定された表示レイアウトを示す表示範囲指定枠を表示する。
【００１１】
また本発明は、複数のディスプレイを配列したマルチ画面表示装置に映像信号を表示する映像表示システムの表示設定方法であって、ユーザに対し、マルチ画面表示装置に表示する際の映像の表示位置と表示の大きさを指定するための操作画面を提供し、操作画面を介してユーザからの指定を受け付け、ユーザの所望する表示レイアウトを設定し、設定した表示レイアウトに従い、映像信号をマルチ画面表示装置を構成する各ディスプレイに表示するように制御する。
【発明の効果】
【００１２】
本発明によれば、マルチ画面の映像表示システムにおいて、簡単な操作で表示レイアウトを自由に設定でき、ユーザの操作性の良い表示設定方法を提供することができる。
【発明を実施するための最良の形態】
【００１３】
図１は、本発明によるマルチ画面表示システムの一実施例を示す構成図である。マルチ画面表示装置１は、例えば１６台の背面投写型のディスプレイ１０を４×４のマトリクス状に配列して構成される。各ディスプレイ１０は、入力される映像信号をそのまま等倍で表示するだけでなく、指定された表示レイアウトに応じて、水平方向及び垂直方向にそれぞれ映像信号を整数倍し、その結果得られる拡大映像から指定された範囲を切り出して表示する機能を備える。これらの等倍表示や拡大表示の倍率及び位置設定は、外部からの制御信号を用いて制御する。制御部２は、本システム全体の動作を制御するもので、具体例としては、オペレーティングシステム（以下、ＯＳと略記）及び本システムのユーザに操作用インタフェースを提供するアプリケーションソフトウェア、前記操作用インタフェースから指定された制御動作を実行するアプリケーションソフトウェア等を搭載したコンピューター等がこれに相当する。制御モニタ３は、制御部２から出力される画像を表示するもので、本実施例のマルチ画面表示システムにおけるレイアウト設定のための操作画面を表示する。映像再生装置４ａ，４ｂは、マルチ画面表示装置１に表示する映像信号を供給する信号源であり、ここでは２系統の装置を示したが、必要に応じて系統数を増加できる。映像信号の形式はＮＴＳＣ方式であってもＲＧＢ方式あってもよい。映像選択切替部５は、映像再生装置４ａ，４ｂから出力される映像信号を選択、切り替え、分配するものであり、具体例としてはマトリクススイッチャーと呼ばれる装置がこれに相当する。
【００１４】
信号ケーブル２１は、映像選択切替部５で選択した映像信号をマルチ画面表示装置１に供給するものであり、１６台のディスプレイ１０に各１系統ずつ接続されている。制御部２は、制御ケーブル２２を介し映像選択切替部５の入出力選択動作を制御する。また制御部２は、制御ケーブル２３を介し、各ディスプレイ１０を制御する。その際、制御ケーブル２３は１台のディスプレイ１０に接続され、その後残り１５台のディスプレイ１０に、いわゆるデイジーチェーン接続と呼ばれる形態で次々に接続されている。制御部２から出力される操作画面等の画像信号は、信号ケーブル２４により制御モニタ３に伝送される。
【００１５】
本実施例のマルチ画面表示システムにおいては、制御部２が制御モニタに表示させるレイアウト操作画面に特徴があり、以下それについて説明する。
【００１６】
図２は、本実施例のマルチ画面表示システムにおけるレイアウト操作画面の一例を示す図である。制御モニタ３のモニタ画面１００には、マルチ画面表示装置１の表示画面レイアウトを模擬的に示す模擬マルチ画面１０１を表示する。すなわち、模擬マルチ画面１０１は、本実施例のマルチ画面表示装置１を構成する４×４＝１６個のディスプレイ１０に対応させ、１６個の矩形領域を組み合わせて構成している。そして模擬マルチ画面１０１には、マルチ画面表示装置１において現在設定されている映像表示範囲（位置と大きさ）を示す表示範囲指定枠１０５を表示する。ユーザは、模擬マルチ画面１０１の表示範囲指定枠１０５を見ることで、マルチ画面表示装置１に表示するレイアウト（位置と大きさ）を確認し、また変更して設定することができる。
【００１７】
さらにモニタ画面１００には、映像再生装置４ａ，４ｂからの映像信号を選択するための手段としての映像ソース選択ボタン１０２ａ，１０２ｂと、選択した映像信号を等倍表示する際の表示位置を指定するための手段としての等倍表示設定ボタン１０３と、拡大表示する際の表示位置と大きさを指定するための手段としての拡大表示設定ボタン１０４を有する。ここで等倍表示とは、１６台のディスプレイ１０のうちいずれか１台を選択して映像を表示する場合である。拡大表示とは、２×２＝４台、３×３＝９台、又は４×４＝１６台を選択して映像をこれらに拡大して表示する場合である。等倍表示設定ボタン１０３には、表示位置を上下左右方向に移動させる移動ボタン１０３０ａと、位置を確定する決定ボタン１０３９を設ける。また拡大表示設定ボタン１０４には、上下左右方向に移動させる移動ボタン１０４０ａ、対角線方向に拡大する拡大ボタン１０４０ｂ、対角線方向に縮小する縮小ボタン１０４０ｃ、位置と大きさを確定する決定ボタン１０４９を設ける。
【００１８】
表示範囲指定枠１０５は、等倍表示設定ボタン１０３や拡大表示設定ボタン１０４に設けられた移動ボタン１０３０ａ、１０４０ａを１回押す毎に、模擬マルチ画面１０１上で矩形領域１個分だけ移動するように設定されている。また拡大ボタン１０４０ｂ（又は縮小ボタン１０４０ｃ）を１回押す毎に、模擬マルチ画面１０１上で対角線方向に矩形領域１個分だけ拡大（又は縮小）するように設定されている。
【００１９】
次に、本実施例におけるマルチ画面表示システムの動作及び表示設定方法を詳細に説明する。
【００２０】
図１の制御部２は制御モニタ３に対して、信号ケーブル２４を介して操作用のユーザインタフェースとして図２のモニタ画面１００（以下、操作画面とも呼ぶ）を供給している。ユーザは操作画面１００に従って、まずマルチ画面表示装置１に表示したい映像ソース（映像再生装置４ａ，４ｂ）を決定するため、映像ソース選択ボタン１０２ａ，１０２ｂのいずれかを選択する。選択動作に関しては、マウスを用いたクリック方式でも良いし、操作画面全体をタッチパネルとして手指などを使って画面の所望のボタンに触れる方式でも良い。本実施例の説明では、この選択動作についてボタンを「押す」という表現で記述する。図２の例では、映像再生装置Ａを選択した状態を示している。
【００２１】
映像ソースを選択すると、模擬マルチ画面１０１上に表示範囲指定枠１０５が自動的に表示される。なお、表示範囲指定枠１０５（又は枠内領域）は、ユーザが視認しやすいように、高彩色又は高輝度の色彩（例えば赤や白などの単色）で強調表示するのが良い。表示範囲指定枠１０５が表示されたら、ユーザは、等倍表示の場合は等倍表示設定ボタン１０３を、拡大表示の場合は拡大表示設定ボタン１０４を使って、表示レイアウト（位置と大きさ）を設定する。以下、これらの操作法を具体的に説明する。
【００２２】
（１）等倍表示レイアウトの場合
等倍表示では、映像ソースを拡大も縮小もせずに、マルチ画面表示装置１を構成する１６台（１６面）のディスプレイ１０のいずれか１台を選んで表示させる。表示させる面を選択するには、等倍表示設定ボタン１０３に設けた上下左右の移動ボタン１０３０ａのいずれかを押すことによって、表示範囲指定枠１０５を移動させる。このとき、表示範囲指定枠１０５は、１個の矩形領域単位で移動する。所望の位置まで動かした後、中央の決定ボタン１０３９を押すことにより表示位置を確定する。制御部２はこの決定内容に従って、映像選択切替部５とマルチ画面表示装置１を制御して、選択された映像ソースをユーザの所望の位置に等倍表示する。
【００２３】
（２）拡大表示レイアウトの場合
拡大表示では、選択した映像ソースを、拡大表示設定ボタン１０４を用いて表示位置と拡大する大きさを指定する。
【００２４】
図３は、拡大表示設定の操作の一例を示す図である。（ａ）は初期状態で、模擬マルチ画面１０１の初期位置（例えば左上隅位置）に等倍の表示範囲指定枠１０５ａが表示される。（ｂ）は、拡大表示設定ボタン１０４の拡大ボタン１０４１を１回押すことで、右下対角線方向に１段拡大させた表示範囲指定枠１０５ｂを設定させた状態である。拡大ボタンを押すと、現在の表示範囲の縦横比が保たれた状態で表示範囲指定枠１０５が対角線方向に拡大する。（ｃ）は、さらに拡大ボタン１０４１を１回押し、移動ボタン１０４２を１回押した後の表示範囲指定枠１０５ｃを設定させた状態である。（ｄ）は、さらに拡大ボタン１０４３を１回押して、表示範囲を１６画面全体に拡大する表示範囲指定枠１０５ｄを設定させた状態である。この表示を「全画面表示」と呼ぶ。
【００２５】
また、逆の縮小表示も可能である。（ｄ）の全画面表示状態で縮小ボタン１０４４を押すと、（ｃ）の表示範囲指定枠１０５ｃの状態に遷移する。（ｃ）の状態で縮小ボタン１０４５と移動ボタン１０４６を押すと、（ｂ）の表示範囲指定枠１０５ｂの状態に遷移する。（ｂ）の状態で縮小ボタン１０４５を押すと、（ａ）の初期状態に戻る。
【００２６】
図３（ｄ）の全画面表示を設定するには、例えば（ａ）の初期状態から拡大ボタン１０４１を３回押せば良いが、ユーザの操作回数を減らすために、（ａ）の状態から拡大ボタン１０４１を長押し（１秒〜２秒程度押し続けること）をすることによって、（ｄ）の状態に遷移するよう構成することもできる。
【００２７】
このようにして、ユーザは表示範囲指定枠１０５を所望の大きさに拡大し、所望の位置に移動させる。そして、中央の決定ボタン１０４９を押すことによって、表示位置と大きさのレイアウトを確定する。制御部２はこの決定内容に従って、映像選択切替部５とマルチ画面表示装置１を制御して、選択された映像ソースをユーザの所望の位置に所望の大きさで拡大表示する。
【００２８】
図２の操作画面では、等倍表示設定ボタン１０３と拡大表示設定ボタン１０４とを別個に設けている。これは、ユーザが等倍表示と拡大表示の操作を混同し、誤って操作することを防止するためである。通常、ユーザは等倍表示と拡大表示のいずれかを選択して操作するので、操作盤を分離した方が使い易いと言える。また、等倍表示設定ボタン１０３には対角線方向の移動ボタン（矢印）は設けていない。これは、拡大表示設定ボタン１０４の操作盤のボタン配置と区別することにより、ユーザの誤操作を避けるためである。もちろんその恐れがなければ、等倍表示設定ボタン１０３にも対角線方向の移動ボタンを設けても良い。
【００２９】
本実施例によれば、マルチ画面表示装置に表示させる映像ソース選択や表示位置と拡大表示を指定する際、簡単な操作で表示レイアウトを自由に設定できるようになる。そしてユーザは、レイアウト設定の進行状況、すなわち、表示位置と表示の大きさを視覚的に確認しながら操作することができるので、ユーザの使い勝手を向上させることができる。
【００３０】
本実施例のマルチ画面表示システムにおける操作画面は、以下のように各種の変形が可能である。
【００３１】
図４は、本実施例のマルチ画面表示システムにおける操作画面の他の例を示す図である。前記図２と同一の構成要素には同一の符号を付している。図４では、移動指示ボタン１０６は表示範囲指定枠１０５を移動するためのもので、拡大指示ボタン１０７は表示範囲指定枠１０５の拡大（又は縮小）を指示するためのもので、移動と拡大（縮小）をそれぞれ専用の操作盤とした。移動指示ボタン１０６には移動ボタン１０６０ａを上下左右方向と対角線方向に計８個設けている。また拡大指示ボタン１０７には、対角線方向に４個の拡大（縮小）ボタン１０７０ｂ（１０７０ｃ）を設けている。決定指示ボタン１０９は、ユーザの指定した表示範囲指定枠の位置と大きさを確定させるためのものである。
【００３２】
図４の操作画面によれば、移動指示ボタン１０６と拡大指示ボタン１０７を別個に配置したことにより、表示範囲指定枠１０５を対角線方向にも１回の操作で移動させることができるため、ユーザの操作性はさらに向上する。
【００３３】
図５は、本実施例のマルチ画面表示システムにおける操作画面のさらに他の例を示す図である。前記図２と同一の構成要素には同一の符号を付している。図５では、等倍表示と拡大表示の操作盤を１つの表示位置／サイズ指定ボタン１０８に統合した構成である。すなわち、４個の移動ボタン１０８０ａと、４個の拡大（縮小）ボタン１０８０ｂ（１０８０ｃ）を設けている。決定ボタン１０８９は、ユーザの指定した表示範囲指定枠１０５の位置と大きさを確定させるためのものである。
【００３４】
図５の操作画面によれば、等倍表示と拡大表示とを１つの操作盤で指定できるので、モニタ画面１００が小さい場合などに効率よく配置できて有効である。
【００３５】
さらには図５の操作画面の改良として、１つの表示位置／サイズ指定ボタン１０８を等倍表示の操作と拡大表示の操作に使い分けることもできる。すなわち、表示位置／サイズ指定ボタン１０８の近傍に、操作モードの切り替え用のボタンを配置し、このボタンの操作によって等倍表示モードと拡大表示モードとを切り替える。そして、等倍表示モードでは前記図４の移動指示ボタン１０６の構成、拡大表示モードでは前記図２の拡大表示設定ボタン１０４の構成とすることで、各々の操作機能をフルに発揮させることができる。
【００３６】
上記実施例におけるマルチ画面表示装置１は、１６台の背面投写型のディスプレイ１０を配列して構成した場合を例に説明したが、ディスプレイの方式や構成台数は任意に設定できることは言うまでもない。
【００３７】
上記実施例では、映像選択切替部５は、複数の映像再生装置４ａ，４ｂのいずれか一方の映像を選択して表示させるものとしたが、複数の映像信号をマルチ画面表示装置１を画面分割して同時に表示することも可能である。そのためには、各映像ソース毎に表示レイアウト（位置と大きさ）を設定すれば良い。
【００３８】
上記図２、図４、図５に示す各操作画面の構成は一例であり、この構成に限定されるものでない。また、等倍表示や拡大表示の位置や範囲を指定する入力手段（ユーザインタフェース）として、コンピューターの画面上にボタン形状（矢印状）の図形を表示するアプリケーションソフトウェアを使用する構成としたが、これに限るものではなく、例えばハードウェアのキー等の手段にて同等の機能を実現することができる。
【００３９】
またユーザが操作する際、先に表示すべき映像ソースを選択して次に表示位置と拡大率を指定する順序としたが、逆に、表示位置と拡大率を先に指定し次に映像ソースを選択する順序としても良い。
【００４０】
また、ユーザが選択した映像ソースの映像信号を取り込んで、選択画像を表示範囲指定枠内に重ねて表示すれば、ユーザは制御モニタの画面で映像の内容まで確認できるので利便性が大いに向上する。
【図面の簡単な説明】
【００４１】
【図１】本発明によるマルチ画面表示システムの一実施例を示す構成図。
【図２】マルチ画面表示システムにおけるレイアウト操作画面の一例を示す図。
【図３】拡大表示設定の操作の一例を示す図。
【図４】操作画面の他の例を示す図。
【図５】操作画面のさらに他の例を示す図。
【符号の説明】
【００４２】
１…マルチ画面表示装置
２…制御部
３…制御モニタ
４…映像再生装置
５…映像選択切替部
１０…ディスプレイ
１００…モニタ画面（操作画面）
１０１…模擬マルチ画面
１０２…映像ソース選択ボタン
１０３…等倍表示設定ボタン
１０４…拡大表示設定ボタン
１０５…表示範囲指定枠。
【図１】
2008027196.tif 000003
【図２】
2008027196.tif 000004
【図３】
2008027196.tif 000005
【図４】
2008027196.tif 000006
【図５】
2008027196.tif 000007